(57)【特許請求の範囲】
【請求項１】
遊技球の通路となる球通路が内部に形成された球通路筐体と該球通路の下部に遊技球が通過する感知孔を位置せしめたセンサーを格納するセンサー格納部と、上記球通路筐体に隣接してモーターを格納するモーター室と、遊技球を係止保留状態にし得るストッパーを格納するストッパー室を設けた本体と該本体を被覆するカバー及び上記ストッパーの軸の受板より構成され、上記モーターよりギアを介して一体として回転せしめられる上ストッパーと下ストッパーより構成されるストッパーにおいて、遊技球を係止保留する上ストッパーのテーパー面と遊技球を係止保留する下ストッパーのテーパー面が１８０°ずれた位置に形成されており、さらに遊技球を通過させる上ストッパーの垂直端部と遊技球を通過させる下ストッパーの垂直端部が１８０°ずれた位置に形成されており、上記上ストッパーのテーパー面が上記球通路に突出するように上記球通路筐体の１部が切欠されており、上記下ストッパーのテーパー面が上記球通路に突出するように上記球通路筐体の１部が切欠されており、上記球通路に突出する上記上ストッパーのテーパー面で係止保留されていた遊技球が上記ストッパー全体の回転により該遊技球の位置に上記上ストッパーの垂直端部が位置することにより該遊技球の係止保留が解除され該遊技球が落下した際に落下地点に上記球通路に突出する上記下ストッパーのテーパー面が位置することにより該遊技球が一旦上記下ストッパーのテーパー面で係止保留され、さらに上記ストッパー全体の回転により該遊技球の位置に上記下ストッパーの垂直端部が位置して該遊技球の係止保留が解除され該遊技球が落下すると同時に次に遊技球は上記球通路に突出する上記上ストッパーのテーパー面により係止保留されるよう形成してなるが、上ストッパーのテーパー面と垂直端部が円周上に接続する２箇所の部分が、一方は滑らかに変化するように形成され、他方は急激に切り替わるように段部を形成して、上ストッパーのテーパー面に係止保留されている遊技球をスムーズに流下できるように構成し、先に落下した遊技球は球通路の直下に位置する上記センサーの感知孔を通過することにより遊技球の通過が正確に計数されることを特徴とする遊技球計数器。
【発明の詳細な説明】
【０００１】
【発明の属する技術分野】
本発明の遊技球計数器は、所謂ＣＲ機と呼称されるカードリーダー方式の遊技台の裏面の「貸し球」と呼称される遊技者に貸し出される遊技球の通路に設置されて遊技球を計数する遊技球計数器に関するものである。
【０００２】
【従来の技術】
従来、所謂ＣＲ機と呼称されるカードリーダー方式の遊技台にては、裏面の遊技球の通路が、「貸し球」と呼称される遊技者に貸し出される遊技球の通路とゲーム中に入賞があったときに遊技者に払い出される賞球の通路が区別されていない遊技台が主流であった。
【０００３】
しかしながら、上記遊技者に貸し出される「貸し球」の通路は本来は遊技場の設備として位置付けられるものであり、入賞があったときに遊技者に払い出される賞球の通路は各遊技台中の１機構として位置付けられるものであるが、遊技台の構成上の便宜という観点から両通路が１本化され構成されているのが現状である。
【０００４】
両通路が多くの遊技台において１本化されている理由は、遊技台の構成上の便宜と価格面の問題という観点からである。まず、遊技台の構成上の便宜の点においては、上記両通路を別にするということは、ただでさえ狭い遊技台の裏面に通路を別々に２本設け、さらに通路上のどこかに遊技球の数を数える計数器を各通路毎に１基づつ設置せねばならないということである。
【０００５】
遊技球の通路は遊技球の幅があればよいが、計数器は遊技球を正確に計数する必要上から遊技球を一定の間隔で落下させて計数する機構が必要となる。従来の計数器は、遊技者に貸し出される「貸し球」の計数よりは賞球の計数の方に主眼を置いているために、大当たりの際に払い出される大量の賞球を迅速に計数する能力を有する必要があり、計数機構を駆動する動力源の形状も大きなものとなり、結果として計数器全体も大きなものとならざるを得なかった。
【０００６】
さらに、賞球の払い出しの速度を速めるために賞球通路を２条に分離し、計数器中のセンサーに遊技球を交互に落下させ交互に計数する機構を持たせる等、計数器の機構は益々大型化、複雑化する傾向にある。このため、遊技者に貸し出される「貸し球」の通路と賞球の球通路を分離し、夫々の球通路に１基ずつ従来の計数器を設置することは遊技台の裏面の狭小なスペースにおいては益々困難となる一方である。
【０００７】
さらに、図１３ｂに示すように、機構が大型化し、複雑化している従来の計数器は価格面にても高価なものとなりつつあるので、このような計数器を２基設置することは、遊技台自体の価格を押し上げる大きな要因の１つともなる。したがって、いきおい球通路を一本化し、計数器も賞球用の計数器１基で「貸し球」の計数もすませようとする考え方が支配的であった。
【０００８】
【発明が解決しようとする課題】
しかしながら、前記のように「貸し球」の通路と賞球の通路は本来別にした方が良い。遊技者が法律を遵守して遊技をするという前提であれば、便宜上上記両通路を共有しても現実的な問題は発生しないが、遊技者が不正操作を行った場合には、責任の所在を明確にする必要上、上記両通路が明確に区別され、上記両通路を通過する遊技球がきちんと別々の計数器で計数されている必要が生じる。
【０００９】
しかしながら、従来の遊技球の計数器は機構が複雑で嵩張るので、各種の装置を設置せねばならない遊技台の裏面に２基設置するのは無理があり、また、計数器自体の価格も高いので２基設置することにより遊技台そのものの製造原価が押し上げられることとなるのは前述のとおりである。そこで、いかなる点に問題があるかをさらに突き詰めて考えてみた。
【００１０】
問題点は、究極のところ、遊技者に払い出される「貸し球」と賞球を、同じ能力の計数器で計数しようとするところにあるのは明白である。すなわち、遊技者に払い出される「貸し球」はごく少量なので、１回当たり２５球程度を正確に計数できれば充分であるのに対し、賞球の方は大当たりの時などにはその何十倍もの量になり、その大量の賞球を正確に計数せねばならない。
【００１１】
したがって、遊技者に払い出される「貸し球」と賞球の通路を分離するのであれば、「貸し球」の通路に設置する計数器に賞球計数用の従来の計数器を用いるのは鶏を裂くに牛刀を以ってする如き不合理であるのは明白である。すなわち、「貸し球」の通路に設置する計数器は、少量の遊技球を正確に計数できる能力があれば良いことになる。
【００１２】
要するに、ここで求められているのは、少量の遊技球を正確に計数でき、全体の容積はごく小である「貸し球」専用の計数器である。したがって、簡単な機構で正確に作動し、安価に提供でき、できる限り装置全体の容積を小さなものとした遊技球計数器を開発することを本発明の課題としたものである。
【００１３】
【課題を解決するための手段】
本発明は、前記課題を解決するためになされたものであって、その要旨とするところは、以下のとおりである。すなわち、遊技球の通路となる球通路が内部に形成された球通路筐体と該球通路の下部に遊技球が通過する感知孔を位置せしめたセンサーを格納するセンサー格納部と上記球通路筐体に隣接してモーターを格納するモーター室と遊技球を係止保留状態にし得るストッパーを格納するストッパー室を設けた本体と該本体を被覆するカバー及び上記ストッパーの軸の受板より構成され、上記モーターよりギアを介して一体として回転せしめられる上ストッパーと下ストッパーより構成されるストッパーにおいて、遊技球を係止保留する上ストッパーのテーパー面と遊技球を係止保留する下ストッパーのテーパー面が１８０°ずれた位置に形成されており、さらに遊技球を通過させる上ストッパーの垂直端部と遊技球を通過させる下ストッパーの垂直端部が１８０°ずれた位置に形成されており、上記上ストッパーのテーパー面が上記球通路に突出するように上記球通路筐体の１部が切欠されており上記下ストッパーのテーパー面が上記球通路に突出するように上記球通路筐体の１部が切欠されており、上記球通路に突出する上記上ストッパーのテーパー面で係止保留されていた遊技球が上記ストッパー全体の回転により該遊技球の位置に上記上ストッパーの垂直端部が位置することにより該遊技球の係止保留が解除され該遊技球が落下した際に落下地点に上記球通路に突出する上記下ストッパーのテーパー面が位置することにより該遊技球が一旦上記下ストッパーのテーパー面で係止保留され、さらに上記ストッパー全体の回転により該遊技球の位置に上記下ストッパーの垂直端部が位置して該遊技球の係止保留が解除され該遊技球が落下すると同時に次の遊技球は上記球通路に突出する上記上ストッパーのテーパー面により係止保留され、先に落下した遊技球は球通路の直下に位置する上記センサーの感知孔を通過することにより遊技球の通過が正確に計数されることを特徴とする遊技球計数器を提供する。
【００１４】
【発明の実施の形態】
本発明の１実施例を図面を参照しながら詳細に説明する。
図１は本実施例の１部を欠截した外観斜視図、図２は平面図、図３は正面図、図４は底面図、図５は背面図、図６は右側面図、図７は左側面図、図８は諸部品の参考分解図、図９ａ、図９ｂはストッパーＳの詳細を示す外観斜視図、図１０ａ〜図１２ｂは作動プロセスを示す説明図である。図１３ａ（本実施例）、図１３ｂ（従来の計数器）は従来の計数器とのサイズを比較するための外観斜視図である。
【００１５】
本実施例は、図８に見るように、大きく分けて、本体１、カバー１０、モーター１６、センサー２４、ストッパーＳ、受板９から構成される。ギア１８はモーター１６とストッパーＳの連結部品であり、軸２３はストッパーＳに付属する１部品である。
【００１６】
本体１は内部に球通路３を有する球通路筐体２を右方に有し、該球通路筐体２の下部にセンサー２４が格納されるセンサー格納部１５を有し、左方には略中間部分に水平に設けられた隔壁５により上部にモーター室４が、隔壁５と後板６により下部にストッパー室８が形成される。なお、７は隔壁５の支持板である。該球通路筐体２、センサー格納部１５、隔壁５、後板６、支持板７は一体として形成されている。
【００１７】
本体１の球通路筐体２は図１〜図８に見るように略直方体状で、平面中央から垂直方向に、遊技球Ｑ１、Ｑ２、Ｑ３、…が自由落下可能な幅と奥行きを有する平面形が略正方形状の略直方体状の球通路３が穿設されている。また、球通路筐体２の左側面の下端部分には帯状の切欠部２ａ、２ｂが上下に夫々穿設されている。
【００１８】
球通路筐体２の下方には夫々略長方形状の右側板１５ｂ、底板１５ｃ、左側板１５ｅが一体として構成されたセンサー格納部１５が一体として固着されている。右側板１５ｂの前部には先端に略３角形状の爪を有する爪部１５ａが一体に突設され、底板１５ｃの略中央には球通路３と同一平面形状の孔１５ｄが球通路３に対応する位置に穿設されている。
【００１９】
右側板１５ｂ、底板１５ｃ、左側板１５ｅに囲繞されたセンサー格納部１５内には空間Ｒが形成され、該空間Ｒには、図８に見るように後部に円形の感知孔２４ａを有する略直方体状のセンサー２４が格納される。センサー２４が完全に格納されると、図４に見るように感知孔２４ａは孔１５ｄと重なり、また、センサー２４の前部は固定爪１５ａにより固定される。
【００２０】
球通路筐体２の左側面の略中央部分には略長方形状の隔壁５の右端が一体として固着されている。隔壁５は略中央に、後記ギア１８の軸１８ａが嵌入する円形の軸孔５ａが穿設されており、軸孔５ａのやや右方の下面には後記ギア１９の軸２３が嵌合固設される軸孔５ｂが刻設されている。
【００２１】
隔壁５の後端部には略長方形状の後板６が一体に固着されている。後板６の右端は図５に見るように１部が切欠された状態で球通路筐体２の後部に達し、球通路筐体２の後部は後板６の右端と嵌合する状態に切欠され、後板６の右端と球通路筐体２の後部は切欠部分が互いに嵌合する状態で一体として固着されている。
【００２２】
後板６の正面略中央部分には図４、図６、図７に示すように略正方形状の凹部６ａが刻設されている。該凹部６ａは、後記ストッパーＳの上ストッパー２０と下ストッパー２１の端部が後板６に衝突するのを防止するためのものである。
【００２３】
後板６の左端近傍と隔壁５の左端近傍には略３角形状の支持板７の上端部が隔壁５の左端近傍に、後端部が後板６の左端近傍に夫々一体として固着されている。該支持板７は隔壁５にかかる後記モーター１６の重量を支える機能を有するものである。
【００２４】
１０はカバーで、図８に見るように略長方形状の天板１１、前板１２、側板１３、さらに図４の底面図に見るように略Ｌ字型の底板１４が固着され一体として形成されている。カバー１０は前板１２に穿設されたねじ孔１２ａ、１２ａにより隔壁５の前端部に螺着されることにより、本体１に螺着固定されるものである。
【００２５】
天板１１は、前端を前板１２の上端に、左端を側板１３の上端に夫々一体に固着され、略中央部に後記モーター１６の冷却用のスリット１１ａが５本穿設されている。前板１２は上端を天板１１の前端に、左端を側板１３の前端に、下端を底板１４の前端に夫々一体に固着され、上部には後記モーター１６の冷却用のスリット１２ｂが３本穿設され、略中央左右にはねじ孔１２ａ、１２ａが夫々穿設されている。
【００２６】
側板１３は上端を天板１１の左端に、前端を前板１２の左端に、下端を底板１４の左端に夫々一体として固着され、上部の中央付近から後端に至るまで略長方形の切欠部１３ａが設けられている。底板１４は図４に見るように前端を前板１２の下端に、左端を側板１３の下端に夫々一体として固着されている。
【００２７】
９は後記ストッパーＳの軸２３の受板で、前部が低く後部が高い階段状となっており、図８に見るように前部の右端近傍に軸２３を受けるための軸孔９ａが刻設されている。受板９は図５に見るように後板６の下部に螺着固定されている。
【００２８】
カバー１０が本体１に螺着固定されることにより、球通路筐体２の左側面上部を右端とし、カバー１０の側板１３の右側面上部を左端とし、カバー１０の前板１２の背面上部を前端とし、カバー１０の天板１１の底面を上端とし、隔壁５の上面を下端とするモーター室４が形成される。該モーター室４の後部には隔壁はなく、開放状態となっている。
【００２９】
また、球通路筐体２の左側面下部を右端とし、カバー１０の側板１３の右側面下部を左端とし、カバー１０の前板１２の背面下部を前端とし、カバー１０の底板１４の上面と受板９の上面を下端とし、隔壁５の下面を上端とし、後板６の正面を後端とするストッパー室８が形成される。
【００３０】
モーター室４において、隔壁５の上面には固定板１７によりモーター１６が螺着される。モーター１６の軸１６ａは隔壁５の軸孔５ａより下方に突設される。また、モーター１６のコードは図１〜図７に見るようにカバー１０の側板１３の切欠部１３ａから外部に延伸される。なお、本実施例におけるモーター１６はステッピングモーターとする。
【００３１】
ストッパー室８において、ギア１８の上面に突設された軸１８ａの中心には軸孔１８ｂが穿設され、軸孔１８ｂはモーター１６の軸１６ａに密嵌され、モーター１６の回転をギア１８に伝達する。なお、軸１８ａは軸孔５ａに遊嵌された状態にある。
【００３２】
１９はギア１８に歯合するギアで、ストッパーＳに一体に固着されている。ストッパーＳは略円盤状の上ストッパー２０と下ストッパー２１及び軸２２が一体として形成され、ギア１９は上ストッパー２０の上面の軸２２の周囲に一体に固着された状態にある。
【００３３】
軸２２の中心には軸孔２２ａが穿設され、さらにもう１本の軸２３が回動自在に挿通されている。軸２３の上端は隔壁５の軸孔５ｂに嵌合固着されており、下端は受板９の軸孔９ａに嵌合固着されている。したがって、ストッパーＳは軸２３の周囲に回動自在に装着されていることとなる。
【００３４】
図９ａ、図９ｂにストッパーＳの詳細を示す。前述のようにストッパーＳは軸２２、上ストッパー２０、下ストッパー２１、ギア１９が一体として構成されている。略円盤状の上ストッパー２０の円周端部の半分以上には上面に繋がるテーパー面２０ａと下面に繋がるテーパー面２０ｂが形成され、この部分にては残余の部分より半径が長く構成されている。
【００３５】
上ストッパー２０のテーパー面２０ａ、テーパー面２０ｂ以外の部分は円周端部が垂直に形成された垂直端部２０ｃとなり、この部分にてはテーパー面２０ａ、テーパー面２０ｂの部分に比較すると半径が短く構成されている。テーパー面２０ａ、テーパー面２０ｂと垂直端部２０ｃが円周上にて接続する部分が２箇所生じるが、一方は滑らかに変化し、他方は急激に切り替わって段部２０ｄを形成している。したがって、上ストッパー２０のテーパー面２０ａに係止保留されている先頭の遊技球が落下する際には、該テーパー面２０ａ上を添接しながらスムーズに流下していく。
【００３６】
上ストッパー２０と略同一直径の下ストッパー２１は円周端部の半分以上に上面に繋がるテーパー面２１ａが形成され、この部分にては残余の部分より半径が長くなっている。テーパー面２１ａ以外の部分は円周端部が垂直に形成された垂直端部２１ｂとなり、この部分にてはテーパー面２１ａの部分に比較すると半径が短くなっている。テーパー面２１ａと垂直端部２１ｂが接続する部分が２個所生じるが、一方は滑らかに変化し、他方は急激に切り替わって段部２１ｃを形成している。
【００３７】
上ストッパー２０のテーパー面２０ａ、２０ｂと下ストッパー２１のテーパー面２１ａは、図９ａ、図９ｂ、図１０ｂ、図１１ｂ、図１２ｂに見るとおり位相が略１８０°ずれており、結果として垂直端部２０ｃと垂直端部２１ｂも位相が略１８０°ずれている。また、段部２０ｄと段部２１ｃも位相が略１８０°ずれている。
【００３８】
図１０ａ、図１２ａに明らかなように上ストッパーのテーパー面２０ａ、２０ｂが球通路３側に位置するとき、テーパー面２０ａ、２０ｂは半径が長いのでスリット２ａより球通路３内部に突出する。このとき、下ストッパー２１においては半径の短い垂直端部２１ｂが球通路３側に位置するので、垂直端部２１ｂがスリット２ｂから球通路３内部に突出することはない。
【００３９】
また、図１１ａに明らかなように下ストッパーのテーパー面２１ａが球通路３側に位置するとき、テーパー面２１ａは円周半径が長いのでスリット２ｂより球通路３内部に突出する。このとき、上ストッパー２０においては半径の短い垂直端部２０ｃが球通路３側に位置するので、垂直端部２０ｃがスリット２ａから球通路３内部に突出することはない。
【００４０】
以下に、本実施例の作用について、図面を参照しながら説明する。
図１０ａにおいて、遊技球Ｑ１、Ｑ２、Ｑ３、Ｑ４が上方より球通路３内に連続的に落下してくるものとする。図１０ａは本実施例の初期状態を示しており、該初期状態においてはストッパーＳの状態は図１０ａ、図１０ｂに示すように常に上ストッパー２０のテーパー面２０ａ、２０ｂの段部２０ｄに近い部分が球通路３内に突出された状態にあり、先頭球である遊技球Ｑ１はテーパー面２０ａ上に係止保留された状態にある。
【００４１】
この状態で、ストッパーＳが図１０ｂにおける時計回り（矢印方向）に回転すると、テーパー面２０ａは遊技球Ｑ１を係止保留したまま時計回りに回転し、約１８０°回転したところで図１１ａ、図１１ｂに見るように球通路３側には半径の短い垂直端部２０ｃが位置することとなり、遊技球Ｑ１は係止保留状態を解除され落下する。
【００４２】
しかし、このとき、下ストッパー２１の球通路３側にはテーパー面２１ａが位置しており、テーパー面２１ａは半径が長いのでスリット２ｂより球通路３内に突出し、遊技球Ｑ１はテーパー面２１ａにて係止保留される。先頭球である遊技球Ｑ１が係止保留されることにより後続の遊技球Ｑ２、Ｑ３、Ｑ４も全て係止保留される。
【００４３】
モーター１６の回転によりストッパーＳは遊技球Ｑ１を下ストッパー２１のテーパー面２１ａ上に掛止保留したまま時計回り（図１１ｂの矢印方向）に回転し、図１１ａ、図１１ｂの状態から約１８０°回転したところで図１２ａ、図１２ｂの状態となる。このとき、上ストッパー２０の半径の長いテーパー面２０ａが球通路３内に迫り出し、遊技球Ｑ２（及び続く遊技球Ｑ３，Ｑ４、…）はテーパー面２０ａ上に係止保留される。
【００４４】
この状態にて、下ストッパー２１の球通路３側には半径の短い垂直端部２１ｂが位置することになり、遊技球Ｑ１は掛止保留状態を解除され、図１２ａに示すように球通路３より落下し、球通路３の直下に装着されているセンサー２４の感知孔２４ａ内を通過する。
【００４５】
センサー２４は電子式センサーで、感知孔２４ａ内を遊技球Ｑ１が通過すると、感知孔２４ａを囲繞するコイル（図示せず）のインダクタンスが変化し、パルス信号を出力するよう構成してある（公知技術）。これにより、遊技球Ｑ１の通過が計数される（機械式センサーを用いることも当然可である）。
【００４６】
センサー２４により計数された遊技球Ｑ１は感知孔２４ａの直下の孔１５ｄを通過して下方に落下し、「貸し球」として遊技者に貸し出される。続く遊技球Ｑ２（及び続く遊技球Ｑ３，Ｑ４、…）は図１２ａ、図１２ｂに明らかなように、遊技球Ｑ１が感知孔２４ａにて計数されているときには上ストッパーのテーパー面２０ａで係止保留状態にある。
【００４７】
この際、遊技球Ｑ１、Ｑ２、Ｑ３、…が連続的に感知孔２４ａを通過するような構成であるとセンサー２４の計数能力が不安定になり、誤作動を引き起こすが、本実施例にては以上のように、先の遊技球Ｑ１が完全に感知孔２４ａを通過し終わるまで次の遊技球Ｑ２は係止保留状態にある。
【００４８】
すなわち、遊技球Ｑ１、Ｑ２、Ｑ３、…は連続的ではなく個別に分断され、一定間隔で感知孔２４ａを通過する構成となっているのでセンサー２４の計数能力は安定し、誤作動を生じない。また、遊技球Ｑ１、Ｑ２、Ｑ３、…は連続せず、１個づつ落下するので、本実施例の下に位置する諸機構にも余分な衝撃を与えることがない。
【００４９】
遊技球Ｑ１が計数され完全に落下し終わると、以下、遊技球Ｑ２、Ｑ３、…に関して上記のプロセスが繰り返される。なお、本実施例にてモーター１６をステッピングモーターとしたのは、予め必要な球数をモーター１６にプログラムすることにより遊技球の計数を、モーター側にても行えるという理由による。
【００５０】
これにより計数がより正確になるという効果が生ずると同時に必要な球数を計数し終えればモーター１６は自動的に停止するので、モーター１６を停止させる機構を組み込む必要がないという効果も生ずるものである。したがって、上記効果を期待しない場合には、モーター１６が通常のモーターであっても、当然本発明は成立し得るものである。
【００５１】
なお、上ストッパー２０の下面に連続するテーパー面２０ｂの作用は、例えば図１１ａの状態で下ストッパー２１のテーパー面２１ａ上に係止保留されている遊技球Ｑ１の上部がなんらかの理由で、上ストッパー２０に接触した際、遊技球Ｑ１が上ストッパー２０と下ストッパー２１の間に噛みこまれるのを防止するためである。
【００５２】
図１３ａ、図１３ｂは本発明の計数器（上記実施例）Ａと従来の計数器Ｂの大きさを、同一縮尺にて比較したものである。図１３ｂに示す従来の計数器Ｂは本発明の出願人の出願による景品球払出装置（特許番号第２９５７４４６号）をさらに改良したもので、賞球の計数器としては最新式の機構を有し、かつ最小の大きさのものである。
【００５３】
すなわち、大量の賞球を迅速に計数するために球通路２７を２条とし、モーター２６によりトロイダルコアＴ（特許番号第２９５７４４６号の明細書にては「球受部材」と呼称）を回転させて遊技球Ｑ１、Ｑ２…を交互にセンサー２５に落下させ、計数するという構成である。なお、モーター２６もやはりステッピングモーターで、本発明の上記実施例同様モーター２６側の計数とセンサー２５による計数を合わせて計数を正確なものとしている。
【００５４】
従来の計数器Ｂにおいては、大量の賞球を迅速に計数するために球通路２７、２７より落下してくる２個の遊技球Ｑ１、Ｑ２をトロイダルコアＴにより強制的にくわえ込んで迅速に移動させ、センサー２５に落下させる必要から、モーター２６にはその分出力の大きなものが求められ、結果としてモーター２６のサイズは大きなものとならざるを得ない。
【００５５】
これに対し、本発明（上記実施例）の計数器Ａにては、ストッパーＳの上ストッパー２０あるいは下ストッパー２１に遊技球Ｑ１を載上して自然落下するまで回転させるだけなのでモーター１６の出力はストッパーＳを回転させる出力に遊技球Ｑ１の回転摩擦力を合計した程度で良く、その分モーター１６のサイズも小さくできる。
【００５６】
計数器全体のサイズはモーターサイズを基準として決定されてくるのであるが、本発明（上記実施例）の計数器Ａのモーター１６と従来の計数器Ｂのモーター２６を比較すると、その直径において略倍近い差が生じている。したがって、図１３ａと図１３ｂの比較に見るように、計数器Ａは寸法においては計数器Ｂの２分の１近くにまで縮小され、容積においてはさらに３分の１以下にまで縮小されている。
【００５７】
【発明の効果】
本発明の計数器は簡略化された機構を用いているので、計数器自体の大きさを、従来の計数器に比較してサイズで約２分の１、容積では約３分の１以下に縮小することができた。従来は主としてスペースの問題から遊技台の裏面に計数器を２基設置することに無理があり、やむなく１基の計数器で「貸し球」と賞球の計数を兼用して行い、その結果「貸し球」と賞球の通路も１本であったが、本発明の遊技球計数器によりスペース的に無理なく遊技台の裏面に従来の計数器に加えて本発明の計数器を設置することが可能となり、「貸し球」と賞球の計数を夫々分離して行うことができ、「貸し球」と賞球の通路を明確に分離できることとなった。
【００５８】
本発明の計数器においてモーターにステッピングモーターを用いた実施例にては、遊技球の計数を、モーター側にても行え、計数がより正確になるという効果が生ずると同時に必要な球数を計数し終えればモーターは自動的に停止するので、モーターを停止させる機構を組み込む必要がないという効果も生ずる。
【００５９】
本発明の計数器は１基のモーターによって上ストッパーと下ストッパーを同時に作用させるという簡素な機構を用いているので、故障が少なく、また製作費用も従来の計数器と比較して極めて安価であり、従来の計数器に加えて本発明の遊技球計数器を装着しても遊技台そのものの製造原価に殆ど影響を与えない。
【００６０】
本発明の計数器においては、計数を終えた遊技球は計数器から連続的に落下せず、１個づつ落下するので、計数器の下に位置する諸機構に余分な衝撃を与えることがない。
【００６１】
本発明の計数器にては、上ストッパーの下面にもテーパー面を設けてあるので、下ストッパーのテーパー面にて掛止保留されている遊技球が上ストッパーと下ストッパーの間に噛みこまれて計数器の駆動状態に影響を与えるという危惧がない。
【図面の簡単な説明】
【図１】本発明の１実施例の１部を欠截した外観斜視図である。
【図２】本発明の１実施例の平面図である。
【図３】本発明の１実施例の正面図である。
【図４】本発明の１実施例の底面図である。
【図５】本発明の１実施例の背面図である。
【図６】本発明の１実施例の右側面図である。
【図７】本発明の１実施例の左側面図である。
【図８】本発明の１実施例の諸部品の参考分解図である。
【図９】ａ  本発明の１実施例のストッパーの外観斜視図である。
ｂ  本発明の１実施例のストッパーの外観斜視図である。
【図１０】ａ  本発明の１実施例の作用工程の１部を欠截した参考説明図である。
ｂ  図１０ａにおけるストッパーの状態を示す参考平面図である。
【図１１】ａ  本発明の１実施例の作用工程の１部を欠截した参考説明図である。
ｂ  図１１ａにおけるストッパーの状態を示す参考平面図である。
【図１２】ａ  本発明の１実施例の作用工程の１部を欠截した参考説明図である。
ｂ  図１２ａにおけるストッパーの状態を示す参考平面図である。
【図１３】ａ  本発明の１実施例の外観斜視図である。
ｂ  従来の遊技球計数器の１例の外観斜視図である。
【符号の説明】
１    本体
２    球通路筐体
２ａ  切欠部
２ｂ  切欠部
３    球通路
４    モーター室
５    隔壁
５ａ  軸孔
５ｂ  軸孔
６    後板
６ａ  凹部
７    支持板
８    ストッパー室
９    受板
９ａ  軸孔
１０    カバー
１１    天板
１１ａ  スリット
１２    前板
１２ａ  ねじ孔
１２ｂ  スリット
１３    側板
１３ａ  切欠部
１４    底板
１５    センサー格納部
１５ａ  固定爪
１５ｂ  右側板
１５ｃ  底板
１５ｄ  孔
１５ｅ  左側板
１６    モーター
１６ａ  軸
１７    固定板
１８    ギア
１８ａ  軸
１８ｂ  軸孔
１９    ギア
２０    上ストッパー
２０ａ、２０ｂ  テーパー面
２０ｃ  垂直端部
２０ｄ  段部
２１    下ストッパー
２１ａ  テーパー面
２１ｂ  垂直端部
２１ｃ  段部
２２    軸
２２ａ  孔
２３    軸
２４    センサー
２４ａ  感知孔
２５    センサー
２６    モーター
２７、２７球通路
Ｑ１、Ｑ２、Ｑ３、Ｑ４  遊技球
Ａ  遊技球計数器
Ｂ  遊技球計数器
Ｒ  空間
Ｓ  ストッパー
Ｔ  トロイダルコア
【図１】
0003546171.tif 000002
【図２】
0003546171.tif 000003
【図３】
0003546171.tif 000004
【図４】
0003546171.tif 000005
【図５】
0003546171.tif 000006
【図６】
0003546171.tif 000007
【図７】
0003546171.tif 000008
【図８】
0003546171.tif 000009
【図９】
0003546171.tif 000010
【図１０】
0003546171.tif 000011
【図１１】
0003546171.tif 000012
【図１２】
0003546171.tif 000013
【図１３】
0003546171.tif 000014